(57)【特許請求の範囲】
【請求項１】
増幅器のソースディジェネレーションインダクタンスとして働く第１の寄生インダクタンスを含む第１の接続と、
前記増幅器の前記ソースディジェネレーションインダクタンスを低減するために前記第１の寄生インダクタンスに磁気的に結合された第２の寄生インダクタンスを含む第２の接続と、
前記増幅器の出力と中間ノードとの間に結合された直列インダクタと、前記第２の寄生インダクタンスを介した回路接地と前記中間ノードとの間に結合されたシャントキャパシタと、を備えるインピーダンス整合回路と、
を備える装置。
【請求項２】
前記増幅器が電力増幅器を備える、請求項１に記載の装置。
【請求項３】
前記増幅器が、シングルエンド入力信号を受信し、シングルエンド出力信号を与えるように構成されたシングルエンド電力増幅器を備える、請求項１に記載の装置。
【請求項４】
前記シングルエンド電力増幅器が、前記シングルエンド電力増幅器のための利得を与え且つ前記第１の接続を介して回路接地に結合されたソースを有するトランジスタを備える、請求項３に記載の装置。
【請求項５】
前記インピーダンス整合回路が、前記第１のセクションと直列に結合された少なくとも１つの追加のセクションをさらに備え、前記第１のセクションの出力におけるインピーダンスが、前記増幅器の出力インピーダンスよりも大きく、負荷インピーダンスよりも小さい、請求項１に記載の装置。
【請求項６】
前記第１の接続が前記第２の接続の所定の距離内に位置する、請求項１に記載の装置。
【請求項７】
前記増幅器が、集積回路（ＩＣ）パッケージ上に実装されたＩＣチップ上に作製され、前記第１の接続が、回路接地への前記ＩＣチップおよび前記ＩＣパッケージ上の電気的接続を含む、請求項１に記載の装置。
【請求項８】
前記ＩＣパッケージが回路基板上に実装され、前記第１の接続が、回路接地への前記回路基板上の電気的接続をさらに含む、請求項７に記載の装置。
【請求項９】
前記第２の寄生インダクタンスが、前記ＩＣチップ、前記ＩＣパッケージ、または前記回路基板のうちの少なくとも１つを介して前記第１の寄生インダクタンスに磁気的に結合された、請求項８に記載の装置。
【請求項１０】
前記ＩＣチップが、フリップチップ技術を用いて前記ＩＣパッケージ上に実装された、請求項７に記載の装置。
【請求項１１】
増幅器のソースディジェネレーションインダクタンスとして働く第１の寄生インダクタンスを含む第１の接続を介して前記増幅器を回路接地に結合することと、
前記増幅器の前記ソースディジェネレーションインダクタンスを低減するために前記第１の寄生インダクタンスに磁気的に結合された第２の寄生インダクタンスを含む第２の接続を介してインピーダンス整合回路を回路接地に結合することと、
前記増幅器の出力と中間ノードとの間に結合された直列インダクタと、前記第２の寄生インダクタンスを介した回路接地と前記中間ノードとの間に結合されたシャントキャパシタと、を備える前記インピーダンス整合回路を介して前記増幅器のためのインピーダンス整合を実行することと、
を備える方法。
【請求項１２】
前記増幅器がシングルエンド電力増幅器を備える、請求項１１に記載の方法。
【請求項１３】
前記第１の接続が前記第２の接続の所定の距離内に位置する、請求項１１に記載の方法。
【請求項１４】
増幅するための手段のソースディジェネレーションインダクタンスとして働く第１の寄生インダクタンスを含む第１の接続を介して前記増幅するための手段を回路接地に結合するための手段と、
増幅するための前記手段の前記ソースディジェネレーションインダクタンスを低減するために前記第１の寄生インダクタンスに磁気的に結合された第２の寄生インダクタンスを含む第２の接続を介してインピーダンス整合回路を回路接地に結合するための手段と、
前記増幅するための手段の出力と中間ノードとの間に結合された直列インダクタと、前記第２の寄生インダクタンスを介した回路接地と前記中間ノードとの間に結合されたシャントキャパシタと、を備える前記インピーダンス整合回路を介して前記増幅するための手段のためのインピーダンス整合を実行するための手段と、
を備える装置。
【請求項１５】
増幅するための前記手段が、シングルエンド出力信号を取得するためにシングルエンド入力信号を増幅するための手段を備える、請求項１４に記載の装置。
【請求項１６】
前記第１の接続が前記第２の接続の所定の距離内に位置する、請求項１４に記載の装置。
【発明の詳細な説明】
【技術分野】
【０００１】
[0001]本開示は、一般に電子機器に関し、より詳細には、改善された性能を有する増幅器に関する。
【背景技術】
【０００２】
[0002]ワイヤレス通信システムにおけるワイヤレスデバイス（たとえば、セルラーフォンまたはスマートフォン）は、双方向通信のためのデータを送信および受信し得る。ワイヤレスデバイスは、データ送信のための送信機と、データ受信のための受信機とを含み得る。データ送信では、送信機は、無線周波（ＲＦ）キャリア信号をデータで変調して変調されたＲＦ信号を取得し、変調されたＲＦ信号を増幅して、適切な出力電力レベルを有する出力ＲＦ信号を取得し、アンテナを介して出力ＲＦ信号を基地局に送信し得る。データ受信では、受信機は、アンテナを介して受信ＲＦ信号を取得し得、受信ＲＦ信号を調整し処理して、基地局によって送られたデータを復元し得る。
【０００３】
[0003]送信機は、電力増幅器などの様々な回路を含み得る。電力増幅器の性能は、電力増幅器の回路設計、電力増幅器を実装するために使用されるトランジスタなど、様々なファクタの影響を受けることがある。電力増幅器の性能は、性能に大きい影響を及ぼし得る、寄生（parasitic）などの他のファクタの影響を受けることもある。
【図面の簡単な説明】
【０００４】
【図１】[0004]ワイヤレスデバイスのブロック図。
【図２】[0005]電力増幅器の概略図。
【図３】[0006]電力増幅器に結合されたインピーダンス整合回路を示す図。
【図４】[0007]低減されたソースディジェネレーションインダクタンス（reduced source degeneration inductance）をもつ電力増幅器を示す図。
【図５】[0008]電力増幅器およびインピーダンス整合回路の実装形態を示す図。
【図６】[0009]図５に示した実装形態についての、低減されたソースディジェネレーションインダクタンスをもつ電力増幅器を示す図。
【図７】[0010]２段インピーダンス整合回路（a two-stage impedance matching circuit）についての、低減されたソースディジェネレーションインダクタンスをもつ電力増幅器を示す図。
【図８Ａ】[0011]低減されたソースディジェネレーションインダクタンスをもたない電力増幅器の例示的な部分レイアウトを示す図。
【図８Ｂ】低減されたソースディジェネレーションインダクタンスをもつ電力増幅器の例示的な部分レイアウトを示す図。
【図９】[0012]ソースディジェネレーションインダクタンスの異なる低減量に対する電力増幅器の利得のプロット。
【図１０】[0013]ソースディジェネレーションインダクタンスを低減するためのプロセスを示す図。
【詳細な説明】
【０００５】
[0014]以下に示す発明を実施するための形態は、本開示の例示的な設計を説明するものであり、本開示が実施され得る唯一の設計を表すものではない。「例示的」という用語は、本明細書では、「例、事例、または例示の働きをすること」を意味するために使用する。「例示的」として本明細書で説明するいかなる設計も、必ずしも他の設計よりも好ましいまたは有利であると解釈されるべきではない。詳細な説明は、本開示の例示的な設計の完全な理解を与えるための具体的な詳細を含む。本明細書で説明する例示的な設計はこれらの具体的な詳細なしに実施され得ることが当業者には明らかであろう。いくつかの事例では、本明細書で提示する例示的な設計の新規性を不明瞭にしないように、よく知られている構造およびデバイスをブロック図の形式で示す。
【０００６】
[0015]本明細書では、増幅器および他の能動回路（active circuits）の不要なソースディジェネレーションインダクタンス（undesired source degeneration inductance）を低減するための技法について説明する。ソースディジェネレーションインダクタンスは、トランジスタのソース／エミッタと回路接地（circuit ground）との間のインダクタンスである。ソースディジェネレーションインダクタンスは、線形性を改善し、雑音を低減し、および／または他の利益を得るために、いくつかの増幅器（たとえば、低雑音増幅器）において望まれることがある。そのような増幅器では、ソースディジェネレーションインダクタンスを得るために、好適な値のインダクタがトランジスタのソース／エミッタと回路接地との間に意図的に結合され得る。しかしながら、ソースディジェネレーションインダクタンスは、増幅器利得を低減し、および／または性能を劣化させることがあるので、いくつかの増幅器（たとえば、電力増幅器）において不要であることがある。不要なソースディジェネレーションインダクタンスは、寄生および／または他の現象から生じ得、以下で説明するように緩和され得る。
【０００７】
[0016]本明細書で説明する不要なソースディジェネレーションインダクタンスを低減するための技法は、電力増幅器、駆動増幅器、可変利得増幅器など、様々なタイプの増幅器のために使用され得る。本技法はまた、ミキサ、発振器など、他の能動回路のためにも使用され得る。明快のために、本技法について、電力増幅器に関して以下で説明する。本技法はまた、セルラーフォン、スマートフォン、タブレット、携帯情報端末（ＰＤＡ）、ハンドヘルドデバイス、ワイヤレスモデム、ラップトップコンピュータ、スマートブック、ネットブック、コードレスフォン、ワイヤレスローカルループ（ＷＬＬ）局、Ｂｌｕｅｔｏｏｔｈ（登録商標）デバイス、コンシューマー電子デバイスなど、様々なタイプのワイヤレスデバイスのためにも使用され得る。
【０００８】
[0017]図１に、ワイヤレスデバイス１００の例示的な設計のブロック図を示す。この例示的な設計では、ワイヤレスデバイス１００は、データプロセッサ／コントローラ１１０と、トランシーバ１２０と、アンテナ１５４とを含む。トランシーバ１２０は、双方向ワイヤレス通信をサポートする送信機１３０と受信機１６０とを含む。ワイヤレスデバイス１００は、ロングタームエボリューション（ＬＴＥ：Long Term Evolution）、符号分割多元接続（ＣＤＭＡ）１Ｘまたはｃｄｍａ２０００、広帯域ＣＤＭＡ（ＷＣＤＭＡ（登録商標））、モバイル通信用グローバルシステム（ＧＳＭ（登録商標）：Global System for Mobile Communications）、ＩＥＥＥ８０２．１１などをサポートし得る。
【０００９】
[0018]送信経路では、データプロセッサ１１０は、送信されるべきデータを処理（たとえば、符号化および変調）し、送信機１３０にアナログ出力信号を与える。送信機１３０内で、送信回路１３２は、アナログ出力信号を増幅し、フィルタ処理し、ベースバンドからＲＦにアップコンバートし、変調されたＲＦ信号を与える。送信回路１３２は、増幅器、フィルタ、ミキサ、発振器、局部発振器（ＬＯ）生成器（a local oscillator (LO) generator）、位相ロックループ（ＰＬＬ：phase locked loop）などを含み得る。電力増幅器（ＰＡ）１４０は、変調されたＲＦ信号を受信し、増幅し、適切な出力電力レベルを有する増幅されたＲＦ信号を与える。インピーダンス整合回路１５０は、電力増幅器１４０のための出力インピーダンス整合を実行する。整合回路１５０は、電力増幅器１４０から増幅されたＲＦ信号を受信し、出力ＲＦ信号を与え、その出力ＲＦ信号は、スイッチ／デュプレクサ１５２を介してルーティングされ、アンテナ１５４を介して送信される。
【００１０】
[0019]受信経路では、アンテナ１５４は、基地局および／または他の送信機局から信号を受信し、受信ＲＦ信号を与え、その受信ＲＦ信号は、スイッチ／デュプレクサ１５２を介してルーティングされ、受信機１６０に与えられる。受信機１６０内で、インピーダンス整合回路１６２は、低雑音増幅器（ＬＮＡ）１６４のための入力インピーダンス整合を実行する。ＬＮＡ１６４は、整合回路１６２からの受信ＲＦ信号を増幅し、増幅された信号を与える。受信回路１６６は、増幅された信号を増幅し、フィルタ処理し、ＲＦからベースバンドにダウンコンバートし、データプロセッサ１１０にアナログ入力信号を与える。受信回路１６６は、増幅器、フィルタ、ミキサ、発振器、ＬＯ生成器、ＰＬＬなどを含み得る。
【００１１】
[0020]図１は、送信機１３０および受信機１６０の例示的な設計を示す。送信機１３０および／または受信機１６０は、図１に示されていない、異なるおよび／または追加の回路を含み得る。たとえば、送信機１３０は、電力増幅器１４０より前に駆動増幅器を含み得る。トランシーバ１２０の全部または一部分は、１つまたは複数のアナログ集積回路（ＩＣ）、ＲＦ  ＩＣ（ＲＦＩＣ）、混合信号ＩＣなどの上に実装され得る。たとえば、送信回路１３２、電力増幅器１４０、ＬＮＡ１６４、受信回路１６６、ならびに整合回路１５０および１６２は、ＲＦＩＣ上に実装され得る。電力増幅器１４０および場合によっては他の回路は、別々のＩＣまたは回路モジュール上にも実装され得る。整合回路１５０および／または１６２ならびに場合によっては他の回路は、別々のＩＣまたは回路モジュール上にも実装され得る。
【００１２】
[0021]データプロセッサ／コントローラ１１０は、ワイヤレスデバイス１００のための様々な機能を実行し得る。たとえば、データプロセッサ１１０は、送信機１３０を介して送信され、受信機１６０を介して受信されるデータの処理を実行し得る。コントローラ１１０は、送信回路１３２、受信回路１６６、電力増幅器１４０、整合回路１５０および／または１６２、スイッチ／デュプレクサ１５２などの動作を制御し得る。メモリ１１２は、データプロセッサ／コントローラ１１０のためのプログラムコードおよびデータを記憶し得る。データプロセッサ／コントローラ１１０は、１つまたは複数の特定用途向け集積回路（ＡＳＩＣ）および／または他のＩＣ上に実装され得る。
【００１３】
[0022]ワイヤレスデバイス１００内の電力増幅器１４０は、シングルエンド設計または差動設計（a single-ended design or a differential design）を用いて実装され得る。シングルエンド電力増幅器（single-ended power amplifier）がシングルエンド入力信号を受信し、シングルエンド出力信号を与える。差動電力増幅器（differential power amplifier）が差動入力信号（a differential input）を受信し、差動出力信号を与える。シングルエンド電力増幅器は、（ｉ）アンテナを介した送信より前に出力信号を差動からシングルエンドに変換するために、トランスフォーマ（a transformer）が必要とされず、（ｉｉ）電力結合器（a power combiner）が必要とされないので、実装がより簡単であり得る。
【００１４】
[0023]図２に、図１のシングルエンド電力増幅器１４０の例示的な設計の概略図を示す。電力増幅器１４０は、スタック中で（in a stack）結合されたＫ個のＮチャネル金属酸化膜半導体（ＮＭＯＳ：N-channel metal oxide semiconductor）トランジスタ２１０ａ〜２１０ｋを含み、Ｋは任意の整数値であり得る。最下部のＮＭＯＳトランジスタ（bottommost NMOS transistor）２１０ａは、電力増幅器１４０のための利得トランジスタであり、（ｉ）それのソースは接続２１６を介して回路接地に結合され、（ｉｉ）それのゲートは交流（ＡＣ）結合キャパシタ（an alternating current (AC) coupling capacitor）２２２を介して入力ＲＦ信号（ＲＦｉｎ）を受信する。スタック中のより上の各ＮＭＯＳトランジスタ２１０は、それのソースがスタック中の下の別のＮＭＯＳトランジスタのドレインに結合される。最上部のＮＭＯＳトランジスタ（topmost NMOS transistor）２１０ｋは、それのドレインが増幅されたＲＦ信号（ＲＦａｍｐ）を与える。負荷インダクタ２１４は、電源（Ｖｄｄ）と最上部のＮＭＯＳトランジスタ２１０ｋのドレインとの間に結合され、電力増幅器１４０のための直流（ＤＣ）バイアス電流を与える。ＮＭＯＳトランジスタ２１０ａ〜２１０ｋのゲートは、それぞれＫ個の抵抗器２２０ａ〜２２０ｋを介して、Ｋ個のバイアス電圧Ｖｂｉａｓ１〜ＶｂｉａｓＫを受信する。バイアス電圧は、電力増幅器１４０が有効にされた（enabled）ときにそれをオンにし（turn on）、電力増幅器１４０が無効にされた（disabled）ときにそれをオフにする（turn off）ために生成され得る。
【００１５】
[0024]増幅されたＲＦ信号は、各ＮＭＯＳトランジスタ２１０の破壊電圧を超え得る大きい電圧スイング（voltage swing）を有し得る。増幅されたＲＦ信号の大きい電圧スイングは、Ｋ個のＮＭＯＳトランジスタ２１０ａ〜２１０ｋにわたって、ほぼ等しく分割または分散され得る。次いで、各ＮＭＯＳトランジスタ２１０は、高い信頼性を実現するために、各ＮＭＯＳトランジスタの破壊電圧よりも小さくなり得る、増幅されたＲＦ信号のわずかな電圧スイング（a fraction of the voltage swing of the amplified RF signal）のみを観測し得る。Ｋ個のバイアス電圧Ｖｂｉａｓ１〜ＶｂｉａｓＫは、たとえば、各ＮＭＯＳトランジスタが電圧スイングの約１／Ｋを観測するように、増幅されたＲＦ信号の所望の電圧分割を行う（provide the desired voltage splitting）ように選択され得る。
【００１６】
[0025]図２は、シングルエンド電力増幅器の例示的な設計を示すが、シングルエンド電力増幅器は他の方法でも実装され得る。たとえば、シングルエンド電力増幅器は、他のタイプのトランジスタ、または他の回路トポロジーなどを用いて実装され得る。
【００１７】
[0026]図３に、図１のインピーダンス整合回路１５０の例示的な設計であるインピーダンス整合回路１５０ａの概略図を示す。この例示的な設計では、整合回路１５０ａは直列インダクタ（a series inductor）２５２とシャントキャパシタ（a shunt capacitor）２５４とを含む。インダクタ２５２は、整合回路１５０ａの入力と出力との間に結合される。キャパシタ２５４は、整合回路１５０ａの出力と接続２５６を介した回路接地との間に結合される。
【００１８】
[0027]電力増幅器１４０は、接続２１６を介して回路接地に結合される。電力増幅器１４０はまた、接続２１２を介してＶｄｄ電源に結合される。バイパスキャパシタ２１８は、Ｖｄｄ電源と回路接地との間に結合され、Ｖｄｄ電源上で高周波雑音のフィルタ処理を行う。
【００１９】
[0028]再び図２を参照すると、電力増幅器１４０は利得トランジスタ２１０ａを含み、利得トランジスタ２１０ａのソースは、接続２１６を介して回路接地に接続される。接続２１６は、接続２１６を実装するために使用されるルーティングトレース（routing traces）、スルービア（thru-via）、および／またはボンドワイヤ（bond wires）から生じ得る寄生インダクタンス（parasitic inductance）を本質的に含む。寄生インダクタンスは、電力増幅器１４０の利得を低減することができるソースディジェネレーションインダクタンスとして働く。
【００２０】
[0029]概して、増幅器（たとえば、図２の電力増幅器１４０）は、利得トランジスタ（たとえば、図２のＮＭＯＳトランジスタ２１０ａ）のソースにおいて何らかのソースディジェネレーションインダクタンスを本質的に有する。利得トランジスタのソースとそれの回路接地との間の０オーム接続を実現することが物理的に不可能であるので、ソースディジェネレーションインダクタンスが生じる。ソースディジェネレーションインダクタンスの量は、利得トランジスタのソースと回路接地との間の相互接続（interconnection）に依存する。この相互接続は、ルーティングトレース、スルービア、ボンドワイヤなどから構成され得る。
【００２１】
[0030]図４に、低減されたソースディジェネレーションインダクタンスをもつ電力増幅器１４０の例示的な設計の概略図を示す。図４に示す例示的な設計では、接地接続（a ground connection）２１６ａは、電力増幅器１４０のための接地接続２１６の例示的な一実装形態であり、接地接続２５６ａは、図３の整合回路１５０ａ内のキャパシタ２５４のための接地接続２５６の例示的な一実装形態である。接地接続２１６ａは、電力増幅器１４０のソースディジェネレーションインダクタンスとして働く寄生インダクタンス４１６を含む。接地接続２５６ａは、寄生インダクタンス４１６に磁気的に結合された寄生インダクタンス４５６を含む。
【００２２】
[0031]図４に示すように、低減されたソースディジェネレーションインダクタンスを有する電力増幅器１４０は、電力増幅器１４０の接地接続２１６ａの不要なソースディジェネレーションインダクタンス４１６をインピーダンス整合回路１５０ａの接地接続２５６ａの寄生インダクタンス４５６に磁気的に結合することによって得られ得る。電力増幅器１４０は整合回路１５０ａに増幅されたＲＦ信号を与え得、増幅されたＲＦ信号の大部分は、整合回路１５０ａの接地接続２５６ａの寄生インダクタンス４５６を流れ得る。電力増幅器１４０の不要なソースディジェネレーションインダクタンス４１６を整合回路１５０ａの寄生インダクタンス４５６に磁気的に結合することによって、電力増幅器１４０の不要なソースディジェネレーションインダクタンス４１６は効果的に低減され得、電力増幅器１４０の利得は改善され得る。
【００２３】
[0032]例示的な設計では、キャパシタ２５４の接地接続２５６は、電力増幅器１４０の接地接続２１６の所定の距離内に位置し得る。所定の距離は回路適用例に依存し得る。電力増幅器１４０がソースディジェネレーションによってかなり制限される回路適用例では、キャパシタ２５４の接地接続２５６は、電力増幅器１４０の接地接続２１６のできるだけ近くに位置し得る。電力増幅器１４０がソースディジェネレーションにあまり敏感でない回路適用例では、接地接続２１６と２５６との間の距離はより大きくなり得る。磁気結合（magnetic coupling）の後に残されたソースディジェネレーションの量は、
Ｌdegen_with_coupling = (1-ｋfactor)* Ｌdegen_without_coupling ,   式（１）   
のように近似され得る。上式で、Ｌdegen_without_couplingは、結合のないディジェネレーションインダクタンスであり、Ｌdegen_with_couplingは、結合のあるディジェネレーションインダクタンスであり、ｋfactorは、接地接続２５６と接地接続２１６との間の結合係数（coupling factor）である。
【００２４】
[0033]式（１）はいくつかの仮定に基づく。特に、式（１）では、接地接続２１６および２５６を流れる電流は大きさが同じであり、寄生インダクタンス４１６と寄生インダクタンス４５６とは同じであると仮定する。式（１）は、より一般的な場合、たとえば、上記の仮定のうちのいずれか１つが成り立たない場合に変更され得る。
【００２５】
[0034]図５に、図１の電力増幅器１４０およびインピーダンス整合回路１５０の例示的な設計を示す。この例示的な設計では、電力増幅器１４０および整合回路１５０はＩＣチップ５１０上に実装される。ＩＣチップ５１０は、フリップチップ技術（flip-chip technology）を使用してＩＣパッケージ５２０上に実装される（mounted）。ＩＣパッケージ５２０は回路基板（a circuit board）５３０上に実装される。
【００２６】
[0035]メイン／基準接地平面（main/reference ground plane）５６０は回路基板５３０上に形成される。電力増幅器１４０は、ＩＣパッケージ５２０を通る電気的接続５４２と回路基板５３０上の電気的接続５４４とを介してメイン／基準接地平面５６０に接続される。電力増幅器１４０のための接地接続２１６ｂは、電気的接続５４２および５４４と、場合によっては他の電気的接続とを含む。接地接続２１６ｂは、図２および図３の接地接続２１６の別の例示的な実装形態である。インピーダンス整合回路１５０は、ＩＣパッケージ５２０を通る電気的接続５５２と回路基板５３０上の電気的接続５５４とを介してメイン／基準接地平面５６０に接続される。整合回路１５０のための接地接続２５６ｂは、電気的接続５５２および５５４と、場合によっては他の電気的接続とを含む。接地接続２５６ｂは、図３の接地接続２５６の別の例示的な実装形態である。
【００２７】
[0036]概して、回路（たとえば、電力増幅器またはインピーダンス整合回路）は、オンチップ電気的接続、オンパッケージ電気的接続、および／またはオンボード電気的接続を介して回路接地に接続され得る。電気的接続は、ルーティングトレース、スルービア、ボンドワイヤなどを含み得る。各電気的接続は、本質的に誘導性であり得る一定のインピーダンスに関連する。
【００２８】
[0037]電力増幅器１４０は、接続２１６に関連する寄生インダクタンスによる不要なソースディジェネレーションインダクタンスを本質的に含み得る。ソースディジェネレーションインダクタンスは、電力増幅器１４０の利得をかなり低減し得、増幅器性能を著しく制限し得る。したがって、ソースディジェネレーションインダクタンスは、利用可能な増幅器利得がほとんど設計要件を満たさない、利得敏感適用例（gain sensitive applications）においておよび／またはＩＣ技術において大いに望ましくないことがある。
【００２９】
[0038]図６に、低減されたソースディジェネレーションインダクタンスをもつ電力増幅器１４０の別の例示的な設計の概略図を示す。図６に示す例示的な設計では、電力増幅器１４０は、ＩＣパッケージ５２０と回路基板５３０とを通る接地接続２１６ｂを介して回路接地に結合される。接地接続２１６ｂは、（ｉ）寄生インダクタンス６４２によってモデル化される、ＩＣパッケージ５２０を通る電気的接続５４２（たとえば、スルービア）と、（ｉｉ）寄生インダクタンス６４４によってモデル化される、回路基板５３０を通る電気的接続５４４（たとえば、別のスルービア）とを含む。寄生インダクタンス６４２および６４４は、電力増幅器１４０の不要なソースディジェネレーションインダクタンスとして働く。整合回路１５０ａ中のキャパシタ２５４は、ＩＣパッケージ５２０と回路基板５３０とを通る接地接続２５６ｂを介して回路接地に結合される。接地接続２５６ｂは、（ｉ）寄生インダクタンス６５２によってモデル化される、ＩＣパッケージ５２０を通る電気的接続５５２（たとえば、スルービア）と、（ｉｉ）寄生インダクタンス６５４によってモデル化される、回路基板５３０を通る電気的接続５５４（たとえば、別のスルービア）とを含む。フリップチップ技術では、寄生インダクタンスは、ＩＣチップ５１０上の接地平面を回路基板５３０上のメイン／基準接地平面５６０に接続するＩＣパッケージ５２０において見つけられる垂直構造、または回路設計者によって回路接地として定義される何らかのパッケージ内側層（package inner layer）によって形成され得る。
【００３０】
[0039]ＩＣパッケージ５２０内で、寄生インダクタンス６４６が、電力増幅器１４０とキャパシタ２５４との間の接地接続をモデル化する。回路基板５３０内で、寄生インダクタンス６４８が、電力増幅器１４０とキャパシタ２５４との間の接地接続をモデル化する。
【００３１】
[0040]図６に示すように、寄生インダクタンス６５２は、ＩＣパッケージ５２０上で寄生インダクタンス６４２に磁気的に結合され得る。寄生インダクタンス６５４は、回路基板５３０上で寄生インダクタンス６４４に磁気的に結合され得る。寄生インダクタンス６４２、６４４、６５２および６５４は、ＩＣパッケージ５２０および回路基板５３０上で接地スルービア（ground thru-vias）によって形成され得る。したがって、ＩＣパッケージ５２０のみ、または回路基板５３０のみ、またはＩＣパッケージ５２０と回路基板５３０の両方の上での寄生インダクタンスの磁気結合は、接地スルービアの適切な配置によって達成され得る。
【００３２】
[0041]図６に示すように、低減されたソースディジェネレーションインダクタンスを有する電力増幅器１４０は、電力増幅器１４０の接地接続２１６ｂの不要なソースディジェネレーションインダクタンス６４２および６４４を電力増幅器１４０に結合されたインピーダンス整合回路１５０ａの接地接続２５６ｂの寄生インダクタンス６５２および６５４に磁気的に結合することによって得られ得る。電力増幅器１４０は整合回路１５０ａに増幅されたＲＦ信号を与え得、増幅されたＲＦ信号の大部分は、整合回路１５０ａの接地接続２５６ｂの寄生インダクタンス６５２および６５４を流れ得る。電力増幅器１４０の不要なソースディジェネレーションインダクタンス６４２および６４４を整合回路１５０ａの寄生インダクタンス６５２および６５４に磁気的に結合することによって、電力増幅器１４０の不要なソースディジェネレーションインダクタンス６４２および６４４は効果的に低減され得、電力増幅器１４０の利得は改善され得る。
【００３３】
[0042]図７に、低減されたソースディジェネレーションインダクタンスをもつ電力増幅器１４０およびインピーダンス整合回路１５０ｂの例示的な設計の概略図を示す。整合回路１５０ｂは、図１の整合回路１５０の別の例示的な設計であり、２つのＬセクション２５０および２６０を含む。第１のＬセクション２５０は直列インダクタ２５２とシャントキャパシタ２５４とを含み、第２のＬセクション２６０は直列インダクタ２６２とシャントキャパシタ２６４とを含む。インダクタ２５２は、整合回路１５０ｂの入力と中間ノードＸとの間に結合される。キャパシタ２５４は、ノードＸと接続２５６ｂを介した回路接地との間に結合される。インダクタ２６２は、ノードＸと整合回路１５０ｂの出力との間に結合される。キャパシタ２６４は、整合回路１５０ｂの出力と接続２６６を介した回路接地との間に結合される。概して、整合回路は任意の数のセクションを含み得、各セクションは、（図７に示す）Ｌトポロジーまたは何らかの他の回路トポロジーを用いて実装され得る。
【００３４】
[0043]図７に示すように、電力増幅器１４０は、ＩＣパッケージ５２０上の寄生インダクタンス６４２と回路基板５３０上の寄生インダクタンス６４４とを含む接地接続２１６ｂを介して回路接地に結合される。第１のＬセクション２５０におけるキャパシタ２５４は、ＩＣパッケージ５２０上の寄生インダクタンス６５２と回路基板５３０上の寄生インダクタンス６５４とを含む接地接続２５６ｂを介して回路接地に結合される。第２のＬセクション２６０におけるキャパシタ２６４は、ＩＣパッケージ５２０上の寄生インダクタンス６６２と回路基板５３０上の寄生インダクタンス６６４とを含む接地接続２６６を介して回路接地に結合される。
【００３５】
[0044]ＩＣパッケージ５２０内で、寄生インダクタンス６４６は、電力増幅器１４０とキャパシタ２５４との間の接地接続をモデル化する。寄生インダクタンス６５６が、キャパシタ２５４とキャパシタ２６４との間の接地接続をモデル化する。回路基板５３０内で、寄生インダクタンス６４８は、電力増幅器１４０とキャパシタ２５４との間の接地接続をモデル化する。寄生インダクタンス６５８が、キャパシタ２５４とキャパシタ２６４との間の接地接続をモデル化する。
【００３６】
[0045]図７に示すように、寄生インダクタンス６５２は、ＩＣパッケージ５２０上で寄生インダクタンス６４２に磁気的に結合され得る。寄生インダクタンス６６２も、ＩＣパッケージ５２０上で寄生インダクタンス６４２に磁気的に結合され得る（図７に図示せず）。インダクタンス６４２とインダクタンス６６２との間の磁気結合は、インダクタンス６４２とインダクタンス６５２との間の磁気結合よりも少なくなり得る。図７に示すように、寄生インダクタンス６５４は、回路基板５３０上で寄生インダクタンス６４４に磁気的に結合され得る。寄生インダクタンス６６４も、回路基板５３０上で寄生インダクタンス６４４に磁気的に結合され得る（図７に図示せず）。インダクタンス６４４とインダクタンス６６４との間の磁気結合は、インダクタンス６４４とインダクタンス６５４との間の磁気結合よりも少なくなり得る。
【００３７】
[0046]電力増幅器１４０の出力インピーダンス（Ｚａｍｐ）は、一般に、インピーダンス整合回路１５０の出力における負荷インピーダンス（Ｚｌｏａｄ）よりもはるかに低い。負荷インピーダンス（a load impedance）は、図１のアンテナ１５４またはデュプレクサ１５２のインピーダンスであり得る。増幅器出力インピーダンスが負荷インピーダンスよりもはるかに小さいので、インピーダンス整合回路１５０は、インピーダンスが整合回路の各Ｌセクションの後に増大するように設計され得る。図７に示す２段設計では、整合回路１５０ｂは、ノードＸ（Ｚｘ）におけるインピーダンスが増幅器出力インピーダンスよりも大きいが、負荷インピーダンスよりも小さくなる、すなわちＺａｍｐ＜Ｚｘ＜Ｚｌｏａｄとなるように設計され得る。たとえば、整合回路１５０ｂは、最大帯域幅を取得するために、ノードＸにおけるインピーダンスが幾何学的にＺａｍｐとＺｌｏａｄとの間にある、すなわち、  
【数１】
0005784846.tif 000002
【００３８】
となるように設計され得る。いずれの場合も、ノードＸにおけるインピーダンスが負荷インピーダンスよりも小さいので、電力増幅器１４０からの増幅されたＲＦ信号の電流の大部分は、第１のＬセクション２５０におけるインダクタ２５２およびキャパシタ２５４を流れ得る。キャパシタ２５４は、電力増幅器１４０から回路接地への接続２１６ｂのできるだけ近くに配置され得る接続２５６ｂを介して回路接地に接続され得る。電力増幅器１４０の接地接続２１６ｂの近くにキャパシタ２５４の接地接続２５６ｂを配置することによって、寄生インダクタンス６４２と寄生インダクタンス６５２との間で、また、寄生インダクタンス６４４と寄生インダクタンス６５４との間で、より高い磁気結合が達成され得る。より高い磁気結合は電力増幅器１４０のソースディジェネレーションインダクタンスを低減し得、それにより、電力増幅器の利得が改善され得る。
【００３９】
[0047]図８Ａに、電力増幅器１４０およびインピーダンス整合回路１５０ａまたは１５０ｂの例示的な部分レイアウトを示す。この例示的な部分レイアウトでは、電力増幅器１４０は、図２の接続２１６の一部であり得る、回路接地への電気的接続／接地スルービア８１６のセットを含む。インダクタ２１４は、（電力増幅器１４０の出力でもある）電力増幅器１４０中の最上部のトランジスタのドレインとＶｄｄ電源（図８Ａに図示せず）との間に結合される。インピーダンス整合回路１５０ａまたは１５０ｂ内のインダクタ２５２は、電力増幅器１４０の出力と中間ノードとの間に結合される。キャパシタ２５４（図８Ａに図示せず）は、インダクタ２５２の端部と、図４の接続２５６ａまたは図６の接続２５６ｂの一部であり得る、回路接地への電気的接続／接地スルービア８５６との間に結合される。電力増幅器１４０のための電気的接続８１６によるソースディジェネレーション／寄生インダクタンスとキャパシタ２５４のための電気的接続８５６による寄生インダクタンスとの間の磁気結合は、電気的接続８１６と電気的接続８５６との間の比較的大きい距離により、比較的弱くなり得る。
【００４０】
[0048]図８Ｂに、低減されたソースディジェネレーションインダクタンスをもつ電力増幅器１４０の例示的な部分レイアウトを示す。この例示的な部分レイアウトでは、電力増幅器１４０は、回路接地への電気的接続／接地スルービア８１６を含む。インピーダンス整合回路１５０ａまたは１５０ｂ内のインダクタ２５２は、電力増幅器１４０の出力と中間ノードとの間に結合される。キャパシタ２５４（図８Ｂに図示せず）は、インダクタ２５２の端部と、図４の接続２５６ａまたは図６の接続２５６ｂの一部であり得る、回路接地への電気的接続／接地スルービア８５８との間に結合される。電力増幅器１４０のための電気的接続８１６によるソースディジェネレーション／寄生インダクタンスとキャパシタ２５４のための電気的接続８５８による寄生インダクタンスとの間の磁気結合は、電気的接続８１６と電気的接続８５８との間のより短い距離により、より強くなり得る。電力増幅器１４０の電気的接続８１６の近くにキャパシタ２５４（すなわち、整合回路１５０中の第１のシャント回路構成要素）の電気的接続８５８を配置することによって、電力増幅器１４０のソースディジェネレーションインダクタンスに対する寄与は著しく低減され得、それにより、電力増幅器１４０の利得が増加し得る。
【００４１】
[0049]図８Ｂに示すように、分離された接地スルービア／バンプス（separated ground thru-vias/bumps）、すなわち、電力増幅器１４０のための接地接続のための１つまたは複数の接地スルービア、およびキャパシタ２５４（または整合回路１５０の第１のシャント回路構成要素）のための接地接続のための１つまたは複数の他の接地スルービアが存在し得る。これらの接地スルービアは、電力増幅器１４０のソースディジェネレーションインダクタンスとキャパシタ２５４の寄生インダクタンスとの間の磁気結合を改善するために互いに近くに配置され得る。図８Ｂに示すように、整合回路１５０の回路構成要素は、比較的大きいエリアを占有し得、接地スルービアが互いにより近くに配置され得るように構成され得る。
【００４２】
[0050]キャパシタ２５４のための接地接続は、電力増幅器のソースディジェネレーションインダクタンスを低減するために、電力増幅器１４０のための接地接続のより近くに配置され得る。しかしながら、キャパシタ２５４のための接地接続のより近い配置はインダクタ２５２の値に影響を及ぼすことがある。インダクタ２５２、ならびにキャパシタ２５４のための接地接続２５６の寄生インダクタンスは、所望のインピーダンス整合を取得し、電力増幅器１４０のための所望の負荷線（load line）を実装するように設計され得る。概して、インダクタ２５２とキャパシタ２５４のための接地接続２５６による寄生インダクタンスとの間の相互結合を低減することが望ましいことがある。
【００４３】
[0051]明快のために、図８Ａおよび図８Ｂは、電力増幅器１４０および整合回路１５０中のいくつかの回路構成要素のみの部分レイアウトを示す。インダクタ２６２およびキャパシタ２６４など、他の回路構成要素は、良好な性能を達成するためにレイアウト中の適切なロケーションにおいて形成され得る。
【００４４】
[0052]図９に、電力増幅器１４０のソースディジェネレーションインダクタンスとキャパシタ２５４のための接地接続の寄生インダクタンスとの間の異なる磁気結合量（different amounts of magnetic coupling）に対する電力増幅器１４０の利得のプロットを示す。図９において、水平軸は、周波数を示し、ギガヘルツ（ＧＨｚ）の単位で与えられる。垂直軸は、電力増幅器１４０の利得を示し、デシベル（ｄＢ）の単位で与えられる。増幅器利得は電力増幅器１４０のＳ２１伝達関数とも呼ばれる。磁気結合の量は、結合係数Ｋ＿ｆａｃｔｏｒによって示される。
【００４５】
[0053]プロット９１２は、Ｋ＿ｆａｃｔｏｒ＝０．００１である、磁気結合がほとんどない場合の増幅器利得を示す。プロット９１４は、Ｋ＿ｆａｃｔｏｒ＝０．２０１である、磁気結合が小さい場合の増幅器利得を示す。プロット９１６は、Ｋ＿ｆａｃｔｏｒ＝０．４０１である場合の増幅器利得を示す。プロット９１８は、Ｋ＿ｆａｃｔｏｒ＝０．６０１である場合の増幅器利得を示す。プロット９２０は、Ｋ＿ｆａｃｔｏｒ＝０．８０１である、磁気結合がより多い場合の増幅器利得を示す。
【００４６】
[0054]図９のプロット９１２によって示すように、増幅器利得は、電力増幅器１４０の不要なソースディジェネレーションインダクタンスにより制限され得る。図９のプロット９１４〜９２０によって示すように、増幅器利得は、電力増幅器１４０のソースディジェネレーションインダクタンスとキャパシタ２５４のための接地接続の寄生インダクタンスとの間の漸進的に多くなる磁気結合を用いて改善され得る。図９は、ソースディジェネレーションインダクタンスを低減するための、本明細書で説明する技法を使用して、増幅器利得の（たとえば、最高１２ｄＢの）大幅な改善が達成され得ることを示す。
【００４７】
[0055]上記で説明したように、ソースディジェネレーションインダクタンスを低減するための技法は電力増幅器のために使用され得る。本技法は、オフチップ・メイン接地（off-chip main ground）への接地接続を有し得るシングルエンド電力増幅器に特に適用可能であり得、ＩＣチップ、ＩＣパッケージ、および／または回路基板を介した電気的接続により、大きい不要なソースディジェネレーションインダクタンスを観測する可能性がより高くなり得る。本技法は、より高い利得が望ましい、他のタイプの増幅器のためにならびに他の能動回路のためにも使用され得る。
【００４８】
[0056]例示的な設計では、装置（たとえば、ワイヤレスデバイス、ＩＣ、ＩＣパッケージ、回路モジュール、回路基板など）は、第１の接続と第２の接続とを備え得る。第１の接続（たとえば、図４の接続２１６ａまたは図６の接続２１６ｂ）は、増幅器のソースディジェネレーションインダクタンスとして働く第１の寄生インダクタンスを含み得る。第２の接続（たとえば、図４の接続２５６ａまたは図６の接続２５６ｂ）は、増幅器のソースディジェネレーションインダクタンスを低減するために第１の寄生インダクタンスに磁気的に結合された第２の寄生インダクタンスを含み得る。増幅器（たとえば、図２の電力増幅器１４０）は第１の接続を介して回路接地に結合され得る。インピーダンス整合回路（たとえば、図３の整合回路１５０）は、増幅器に結合され得、第２の接続を介して回路接地に結合された回路構成要素（たとえば、図３のキャパシタ２５４）を備え得る。第１の寄生インダクタンスは、図４のインダクタンス４１６、または図６インダクタンス６４２および６４４などを含み得る。第２の寄生インダクタンスは、図４のインダクタンス４５６、または図６のインダクタンス６５２および６５４などを含み得る。
【００４９】
[0057]第１の接続は、第１の寄生インダクタンスと第２の寄生インダクタンスとの間の所望の磁気結合を得るために、第２の接続の十分に近くに位置し得る。例示的な設計では、第１の接続は第２の接続の所定の距離内に位置し得る。
【００５０】
[0058]１つの例示的な設計では、増幅器は、シングルエンド入力信号を受信し、シングルエンド出力信号を与えるように構成されたシングルエンド電力増幅器（たとえば、図２の電力増幅器１４０）を備え得る。シングルエンド電力増幅器は、シングルエンド電力増幅器のための利得を与え且つ第１の接続を介して回路接地に結合されたソースを有するトランジスタ（たとえば、図２のＮＭＯＳトランジスタ２１０ａ）を備え得る。
【００５１】
[0059]インピーダンス整合回路は、増幅器に結合された第１のセクションを備え得る。第１のセクションは、回路接地への第２の接続を介して回路接地に結合された回路構成要素を備え得る。１つの例示的な設計では、第１のセクションは直列インダクタとシャントキャパシタとを備え得る。直列インダクタ（たとえば、図４または図７のインダクタ２５２）は、増幅器とノード（たとえば、図４の整合回路の出力または図７のノードＸ）とに結合され得る。シャントキャパシタ（たとえば、図４または図７のキャパシタ２５４）は、ノードと回路接地への第２の接続とに結合され得る。回路構成要素はシャントキャパシタを備え得る。インピーダンス整合回路は、第１のセクションと直列に結合された少なくとも１つの追加のセクション（たとえば、図７のセクション２６０）をさらに備え得る。第１のセクションの出力におけるインピーダンスは、増幅器の出力インピーダンスよりも大きくなり得、負荷インピーダンスよりも小さくなり得る。
【００５２】
[0060]例示的な設計では、増幅器は、たとえば、図５に示したフリップチップ技術を用いて、または直接基板実装（direct board mounting）のためのパッケージルーティング層、および、はんだボール（solder balls）などを用いて、ＩＣパッケージ上に実装された（mounted）ＩＣチップ上に作製され（fabricated）得る。第１の接続は、回路接地へのＩＣパッケージおよびＩＣチップ上の電気的接続を含み得る。ＩＣパッケージは回路基板上に実装され得る。第１の接続は、回路接地への回路基板上の電気的接続をさらに含み得る。第２の寄生インダクタンスは、ＩＣチップ、ＩＣパッケージ、および／または回路基板を介して第１の寄生インダクタンスに磁気的に結合され得る。
【００５３】
[0061]図１０に、ソースディジェネレーションインダクタンスを低減するためのプロセス１０００の例示的な設計を示す。増幅器のソースディジェネレーションインダクタンスとして働く第１の寄生インダクタンスを含む第１の接続を介して第１の信号が受け渡され得る（ブロック１０１２）。増幅器のソースディジェネレイションインダクタンスを低減するために第１の寄生インダクタンスに磁気的に結合された第２の寄生インダクタンスを含む第２の接続を介して第２の信号が受け渡され得る（ブロック１０１４）。増幅器は、シングルエンド電力増幅器であり得、第２の接続を介して回路接地に結合された回路構成要素を備えるインピーダンス整合回路を用いてインピーダンス整合され得る。
【００５４】
[0062]本明細書で説明する低減されたソースディジェネレーションインダクタンスをもつ増幅器は、ＩＣ、アナログＩＣ、ＲＦＩＣ、混合信号ＩＣ、ＡＳＩＣ、プリント回路基板（ＰＣＢ）、電子デバイスなどの上に実装され得る。低減されたソースディジェネレーションインダクタンスをもつ増幅器は、相補型金属酸化膜半導体（ＣＭＯＳ：complementary metal oxide semiconductor）、ＮチャネルＭＯＳ（ＮＭＯＳ）、ＰチャネルＭＯＳ（ＰＭＯＳ）、バイポーラ接合トランジスタ（ＢＪＴ：bipolar junction transistor）、バイポーラＣＭＯＳ（ＢｉＣＭＯＳ）、シリコンゲルマニウム（ＳｉＧｅ）、ガリウムヒ素（ＧａＡｓ）、ヘテロ接合バイポーラトランジスタ（ＨＢＴ：heterojunction bipolar transistor）、高電子移動度トランジスタ（ＨＥＭＴ：high electron mobility transistor）、シリコンオンインシュレータ（ＳＯＩ：silicon-on-insulator）など、様々なＩＣプロセス技術を用いて作製され得る。
【００５５】
[0063]本明細書で説明する低減されたソースディジェネレーションインダクタンスをもつ増幅器を実装する装置は、スタンドアロンデバイスであり得るか、またはより大きいデバイスの一部であり得る。デバイスは、（ｉ）スタンドアロンＩＣ、（ｉｉ）データおよび／または命令を記憶するためのメモリＩＣを含み得る１つまたは複数のＩＣのセット、（ｉｉｉ）ＲＦ受信機（ＲＦＲ）またはＲＦ送信機／受信機（ＲＴＲ）などのＲＦＩＣ、（ｉｖ）移動局モデム（ＭＳＭ）などのＡＳＩＣ、（ｖ）他のデバイス内に埋め込まれ得るモジュール、（ｖｉ）受信機、セルラーフォン、ワイヤレスデバイス、ハンドセット、またはモバイルユニット、（ｖｉｉ）その他であり得る。
【００５６】
[0064]１つまたは複数の例示的な設計では、説明した機能は、ハードウェア、ソフトウェア、ファームウェア、またはそれらの任意の組合せで実装され得る。ソフトウェアで実装した場合、機能は、１つまたは複数の命令またはコードとしてコンピュータ可読媒体上に記憶されるか、あるいはコンピュータ可読媒体を介して送信され得る。コンピュータ可読媒体は、ある場所から別の場所へのコンピュータプログラムの転送を可能にする任意の媒体を含む通信媒体と、コンピュータ記憶媒体の両方を含む。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ（登録商標）、ＣＤ−ＲＯＭまたは他の光ディスクストレージ、磁気ディスクストレージまたは他の磁気ストレージデバイス、あるいは命令またはデータ構造の形態の所望のプログラムコードを搬送または記憶するために使用され得、コンピュータによってアクセスされ得る、任意の他の媒体を備えることができる。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびｂｌｕ−ｒａｙ（登録商標）ディスク（disc）を含み、ディスク（disk）は、通常、データを磁気的に再生し、ディスク（disc）は、データをレーザーで光学的に再生する。上記の組合せもコンピュータ可読媒体の範囲内に含まれるべきである。
【００５７】
[0065]本開示についての以上の説明は、いかなる当業者も本開示を作成または使用することができるように与えたものである。本開示への様々な修正は当業者には容易に明らかとなり、本明細書で定義した一般原理は、本開示の範囲から逸脱することなく他の変形形態に適用され得る。したがって、本開示は、本明細書で説明した例および設計に限定されるものではなく、本明細書で開示した原理および新規の特徴に合致する最も広い範囲を与えられるべきである。
なお、本願の出願当初の請求項と同一の記載を以下に付記する。
［Ｃ１］  増幅器のソースディジェネレーションインダクタンスとして働く第１の寄生インダクタンスを含む第１の接続と、
前記増幅器の前記ソースディジェネレーションインダクタンスを低減するために前記第１の寄生インダクタンスに磁気的に結合された第２の寄生インダクタンスを含む第２の接続と
を備える装置。
［Ｃ２］  前記増幅器が電力増幅器を備える、Ｃ１に記載の装置。
［Ｃ３］  前記増幅器が、シングルエンド入力信号を受信し、シングルエンド出力信号を与えるように構成されたシングルエンド電力増幅器を備える、Ｃ１に記載の装置。
［Ｃ４］  前記シングルエンド電力増幅器が、前記シングルエンド電力増幅器のための利得を与え且つ前記第１の接続を介して回路接地に結合されたソースを有するトランジスタを備える、Ｃ３に記載の装置。
［Ｃ５］  前記増幅器に結合され、前記第２の接続を介して回路接地に結合された回路構成要素を備えるインピーダンス整合回路であって、前記増幅器が、前記第１の接続を介して回路接地に結合された、インピーダンス整合回路
をさらに備える、Ｃ１に記載の装置。
［Ｃ６］  前記回路構成要素がキャパシタを備える、Ｃ５に記載の装置。
［Ｃ７］  前記インピーダンス整合回路が、前記増幅器に結合された第１のセクションを備え、前記第１のセクションが、前記第２の接続を介して回路接地に結合された前記回路構成要素を含む、Ｃ６に記載の装置。
［Ｃ８］  前記第１のセクションが、
前記増幅器と中間ノードとに結合された直列インダクタと、
前記中間ノードと前記第２の接続を介した回路接地とに結合されたシャントキャパシタと
を備える、Ｃ７に記載の装置。
［Ｃ９］  前記インピーダンス整合回路が、前記第１のセクションと直列に結合された少なくとも１つの追加のセクションをさらに備え、前記第１のセクションの出力におけるインピーダンスが、前記増幅器の出力インピーダンスよりも大きく、負荷インピーダンスよりも小さい、Ｃ７に記載の装置。
［Ｃ１０］  前記第１の接続が前記第２の接続の所定の距離内に位置する、Ｃ１に記載の装置。
［Ｃ１１］  前記増幅器が、集積回路（ＩＣ）パッケージ上に実装されたＩＣチップ上に作製され、前記第１の接続が、回路接地への前記ＩＣチップおよび前記ＩＣパッケージ上の電気的接続を含む、Ｃ１に記載の装置。
［Ｃ１２］  前記ＩＣパッケージが回路基板上に実装され、前記第１の接続が、回路接地への前記回路基板上の電気的接続をさらに含む、Ｃ１１に記載の装置。
［Ｃ１３］  前記第２の寄生インダクタンスが、前記ＩＣチップ、前記ＩＣパッケージ、または前記回路基板のうちの少なくとも１つを介して前記第１の寄生インダクタンスに磁気的に結合された、Ｃ１２に記載の装置。
［Ｃ１４］  前記ＩＣチップが、フリップチップ技術を用いて前記ＩＣパッケージ上に実装された、Ｃ１１に記載の装置。
［Ｃ１５］  増幅器のソースディジェネレーションインダクタンスとして働く第１の寄生インダクタンスを含む第１の接続を介して第１の信号を受け渡すことと、
前記増幅器の前記ソースディジェネレーションインダクタンスを低減するために前記第１の寄生インダクタンスに磁気的に結合された第２の寄生インダクタンスを含む第２の接続を介して第２の信号を受け渡すことと
を備える方法。
［Ｃ１６］  前記増幅器がシングルエンド電力増幅器を備える、Ｃ１５に記載の方法。
［Ｃ１７］  前記第１の接続が前記第２の接続の所定の距離内に位置する、Ｃ１５に記載の方法。
［Ｃ１８］  増幅するための手段のソースディジェネレーションインダクタンスとして働く第１の寄生インダクタンスを含む第１の接続を介して第１の信号を受け渡すための手段と、
増幅するための前記手段の前記ソースディジェネレーションインダクタンスを低減するために前記第１の寄生インダクタンスに磁気的に結合された第２の寄生インダクタンスを含む第２の接続を介して第２の信号を受け渡すための手段と
を備える装置。
［Ｃ１９］  増幅するための前記手段が、シングルエンド出力信号を取得するためにシングルエンド入力信号を増幅するための手段を備える、Ｃ１８に記載の装置。
［Ｃ２０］  前記第１の接続が前記第２の接続の所定の距離内に位置する、Ｃ１８に記載の装置。
【図１】
0005784846.tif 000003
【図２】
0005784846.tif 000004
【図３】
0005784846.tif 000005
【図４】
0005784846.tif 000006
【図５】
0005784846.tif 000007
【図６】
0005784846.tif 000008
【図７】
0005784846.tif 000009
【図８Ａ】
0005784846.tif 000010
【図８Ｂ】
0005784846.tif 000011
【図９】
0005784846.tif 000012
【図１０】
0005784846.tif 000013